(57)【要約】【課題】  テレビ本体の底に取付けたスタンドによって傾斜角度の調整が出来るように支持したテレビの提供。【解決手段】  スタンド２はベース部４と該ベース部４から突出して傾斜した載置面６を有する載置部５を形成し、上記テレビ本体１の底は傾斜した底面３とし、上記載置部５の載置面６にテレビ本体１を載せてネジ止めすると共に、該スタンド２の前後方向の向きを変えることでテレビ本体１の傾きの調整を可能としている。【選択図】    図１
2018152690.tif 000002
【特許請求の範囲】
【請求項１】
テレビ本体の底に取付けたスタンドによって該テレビ本体の傾きを調整出来るように支持したテレビにおいて、上記スタンドはベース部と該ベース部から突出して傾斜した載置面を有する載置部を形成し、上記テレビ本体の底は傾斜した底面とし、上記載置部の載置面にテレビ本体を載せてネジ止めすると共に、該スタンドの前後方向の向きを変えることでテレビ本体の傾きの調整を可能としたことを特徴とするテレビ。
【請求項２】
テレビ本体の底に取付けて該テレビ本体の傾きが調整できるように支持するスタンドにおいて、上記スタンドはベース部と該ベース部から突出して傾斜した載置面を有する載置部を形成し、上記テレビ本体の底は傾斜した底面とし、上記載置部の載置面にテレビ本体を載せてネジ止めすると共に、該スタンドの前後方向の向きを変えることでテレビ本体の傾きの調整を可能としたことを特徴とするテレビスタンド。
【請求項３】
上記載置面には上方へ突出するピンを有し、テレビ本体を構成するキャビネットの底には該ピンが嵌る位置決め穴、及びスタンドのベース部に設けて上記キャビネットに固定する為のネジが螺合するネジ穴を設けた請求項２記載のテレビスタンド。
【発明の詳細な説明】
【技術分野】
【０００１】
本発明はテーブルに載置したテレビの画面が見易いように、その傾きを調整できるテレビ及びそのスタンドに関するものである。
【背景技術】
【０００２】
テレビは一般にテーブルなどの台の上に載置されて、見易い傾きに設置されている。勿論、テレビ専用台を使用する場合も多いが、設置されたテレビの傾斜角度が最適でなく、その為にテレビが見にくいといったことが起きる。そこで、一般にスタンド型式のテレビ支持台が用いられ、適当な傾きに調整できるように構成した支持台も多用されている。
【０００３】
該スタンド型式のテレビ支持台は強度と重量が必要なことからスチール製とし、キャスター付きのベース台板からスタンドが垂直に起立し、該スタンドの上端部にはテレビを適当な角度で固定する取付け部を備えている。
また、垂直に起立するスタンドの上端に載置台を設け、該スタンドを伸縮可能な構造としているテレビ支持台も知られている。
【０００４】
特開２００９−１８２９５２号に係る「テレビ支持装置」は、所望の高さにできると共に角度調整が可能なテレビ支持装置である。
すなわち、基台にテレビ支持体が直接に、もしくは、アーム体を介して取り付けられる構成であり、基台とテレビ支持体との連結部、基台とアーム体との連結部、および、アーム体とテレビ支持体との連結部それぞれが、同一構造で、かつ、所望相対回転位置に保持されることが可能な構造とされている。
【０００５】
実用新案登録第３１６３０２５号に係る「上下可動で傾斜角度を変えられるテレビ取付け装置」は、安全かつ簡単に高さと傾斜角度を調整できるテレビ取り付け装置である。
支柱に沿って薄型テレビを上下することで使用目的にあった角度に成るように、ハンドルやモーターでスクリュウボルトを回転させるとスクリュウナットが上下し、上下機構の伝動軸がベアリング取付け金具の孔によりベアリングは傾斜角度調整ガイド板の面に沿って上下するとテレビの自重でベアリング取付金具が傾斜してテレビも視線にあつた角度に傾斜するようにしている。
【０００６】
ところで、従来の高さ調整並びに角度調整機能を備えたテレビ支持台は、その構造が複雑であり、その為に製作コストも高くなる。
【特許文献１】特開２００９−１８２９５２号に係る「テレビ支持装置」
【特許文献２】実用新案登録第３１６３０２５号に係る「上下可動で傾斜角度を変えられるテレビ取付け装置」
【発明の開示】
【発明が解決しようとする課題】
【０００７】
このように、テレビの傾きを調整可能としたテレビ支持台には上記のごとき問題がある。本発明が解決しようとする課題はこの問題点であり、極めて簡単な構造で構成し、製作コストが安い角度調整用スタンド及びそのスタンドに支持されたテレビを提供する。
【課題を解決するための手段】
【０００８】
本発明のテレビはその下端にスタンドが組み込まれて構成され、該スタンドは着脱可能となっている。そして、該スタンドを備えたテレビは従来の一般的なテーブル面に載置され、スタンドの前後方向の向きを変えることで、すなわち、１８０°回転することで、支持されるテレビ本体の傾きを変えることが出来るように構成している。
【０００９】
ところで、スタンドはベース部と載置部を有し、載置部の載置面は水平でなく所定の角度で傾斜している。そして、テレビ本体の下端面も傾斜していて、その為にスタンドの向きを反転させることで載置部の載置面に載るテレビ本体の傾きを変えることが出来る。
この場合、スタンドのベース部底から挿通するネジによってテレビ本体は固定される。また、位置決め用のピンと穴がベース部の載置面とテレビ本体の底面に設けられている。
【発明の効果】
【００１０】
本発明のテレビはその下端に取付けたスタンドの向きを反転することで、該テレビ本体の傾きを変えることが出来る。従って、既存の一般的なテーブル台に配置したテレビ本体を見易い角度に傾けることが出来る。しかも、スタンドを交換することなく、同じスタンドの向きを反転するだけで調整可能であり、その構造は極めて簡単である。勿論、スタンドを交換するならば、更なる角度の調整も可能となる。
【図面の簡単な説明】
【００１１】
【図１】テレビ本体の傾き調整が出来るようにしたテレビを示す実施例。
【図２】傾いて取付けたテレビ本体の重心位置とスタンド中心との位置関係。
【図３】テレビ本体を傾斜して支持する為のスタンドを示す具体例。
【図４】テレビ本体が垂直に起立している場合のキャビネットとスタンドとの結合構造を示す具体例。
【図５】テレビ本体が傾斜して起立している場合のキャビネットとスタンドとの結合構造を示す具体例。
【発明を実施するための形態】
【００１２】
図１はテレビ本体の傾きを調整することが出来るテレビを表す実施例であり、１はテレビ本体、２はスタンドをそれぞれ表している。
同図の（ａ）はテレビ本体１とスタンド２とが分離している状態であり、スタンド２はテレビ本体１の底面に取付けられ、該スタンド２の向きを１８０°変えることで、同図（ｂ）に示すようにテレビ本体１が垂直に起立するようになり、また、同図（ｃ）に示すようにテレビ本体１が傾斜して起立するようになる。
【００１３】
テレビ本体１の底面３は水平でなく、背面側が高くなるように角度αにて傾斜している。また、スタンド２のベース部４は中央に載置部５を上方に突出し、その載置面６は水平でなく後方側が高くなるように角度αにて傾斜している。したがって、図１（ａ）に示すテレビ本体１の底面３にスタンド２を取付けるならば、底面３の傾斜角度αと載置部５の載置面６の傾斜角度αは同じである為に、テレビ本体１は図１（ｂ）に示すように垂直に起立することが出来る。
【００１４】
一方、スタンド２の前後方向を反転するならば、載置部５の載置面６は後側を低くした傾斜面と成る。この向きでテレビ本体１の底面３にスタンド２を取付けるならば、図１（ｃ）に示すようにテレビ本体１は角度２αにて後方へ傾斜して起立することが出来る。
テレビ本体１の底面３にはネジ穴が設けられ、スタンド２のベース部４の底から挿通したネジ７をネジ穴に螺合して締付けるならば、該スタンド２はテレビ本体１の底面３に固定される。
【００１５】
テレビ本体１が後方へ傾斜して起立している場合であっても転倒しないようにしなくてはならない。
図２はテレビ本体１を後方へ傾斜してスタンド２に取付けた状態を表しており、該テレビ本体１の重心位置と該スタンド２の中心との位置関係を示している。
図２（ａ）はテレビ本体１の重心を通る垂直線がスタンド２の中心を通過している場合であり、テレビ本体１は転倒することなく安定して起立することが出来る。
これに対して図２（ｂ）は、テレビ本体１の重心を通る垂直線はスタンド２の中心を通過することなく、中心より後方に位置し、その為に該テレビ本体１は後方に倒れ易くなる。したがって、ベース部４の後方への張り出し量を大きく（長く）することで、テレビ本体１の転倒を防止することが出来る。
【００１６】
図３は上記スタンド２を単独で表している実施例である。載置部５はベース部４の中央に僅かに突出していて、ベース部４に沿って延びている。そして、載置部５にはネジ穴８が設けられ、該ベース部４の底からネジ７を挿通してテレビ本体１の底に設けたネジ穴に螺合して固定される。
【００１７】
図４はテレビ本体１がスタンド２から垂直に起立して取付けられた場合の該スタンド２とテレビ本体１の結合構造の断面を示す具体例である。
すなわち、図４（ａ）の部分断面拡大図を図４（ｂ）に示しているが、テレビ本体１を構成するキャビネット９の底にはネジ穴１０を有し、このキャビネット９の底に当接してスタンド２はネジ止めされている。
ここで、キャビネット９の底にスタンド２が正しく位置決めされるように、キャビネット９の底には位置決め穴１１ａ，１１ｂが形成され、該位置決め穴１１ａにはスタンド２の載置部５から起立して設けたピン１２が嵌合している。
【００１８】
図５はテレビ本体１がスタンド２に傾斜して取付けられた場合の該スタンド２とテレビ本体１の結合構造の断面を示す具体例である。
すなわち、図５（ａ）の部分断面拡大図を図５（ｂ）に示しているが、テレビ本体１を構成するキャビネット９の底にはネジ穴１０を有し、このキャビネット９の底にスタンド２の載置部５が当接してネジ止めされている。そして、キャビネット９の底にスタンド２のベース部４が正しく位置決めされるように、キャビネット９の底には位置決め穴１１ａ，１１ｂが形成され、一方の位置決め穴１１ｂにスタンド２の載置部５から起立して設けたピン１２が嵌合している。
【００１９】
ところで、上記図４と図５はスタンド２の向きを前後逆にした場合であり、キャビネット９の底に設けたネジ穴１０にネジ７が螺合してスタンド２を結合することが出来るように、スタンド２側のネジ挿通穴はネジ径より大きく成っている。
また、位置決め用としてスタンド２のベース部４から起立するピン１２が嵌る位置決め穴１１ａ，１１ｂはその大きさ（内径）は違っている。すなわち、位置決め穴１１ａの内径Ｃと位置決め穴１１ｂの内径Ｄは異なり、Ｄ＞Ｃとしている。
【符号の説明】
【００２０】
１   テレビ本体
２   スタンド
３   底面
４   ベース部
５   載置部
６   載置面
７   ネジ
８   ネジ穴
９   下端面
10   ネジ穴
11   位置決め穴
12   ピン
【図１】
2018152690.tif 000003
【図２】
2018152690.tif 000004
【図３】
2018152690.tif 000005
【図４】
2018152690.tif 000006
【図５】
2018152690.tif 000007